(57)【特許請求の範囲】
【請求項１】
マルチリンク型サスペンションのサスペンションアームを支持する車両のサスペンションサブフレーム構造であって、
前後に間隔をおいて設けられそれぞれ車幅方向に延びる一対の車幅方向メンバと、
これらの車幅方向メンバの左側端部同士及び右側端部同士をそれぞれ連結するように車体前後方向に延びる一対の前後方向メンバと、
上記車幅方向メンバのうち、一方の車幅方向メンバの左右両端部に設けられたアッパアーム支持部と、
上記車幅方向メンバのうち、一方の車幅方向メンバの左右両端部に設けられたロアアーム支持部と、
上記一方の車幅方向メンバの左右両端部或いはその近傍の部分と、上記車幅方向メンバのうち他方の車幅方向メンバの車幅方向中間部とを連結するように平面視で車幅方向に対して傾斜して延びる傾斜メンバと、を有し、
この傾斜メンバは、上記アッパアーム支持部及び上記ロアアーム支持部から伝わるサスペンションの荷重を上記他方の車幅方向メンバに伝達するようになっており、
上記傾斜メンバは、上側部材と下側部材とで構成され、これらの上側部材及び下側部材とが上記前後方向メンバを介して上下に連結されるようになっていることを特徴とする車両のサスペンションサブフレーム構造。
【請求項２】
上記一方の車幅方向メンバが少なくとも二つの部材を有し、これらの部材により上記アッパアーム支持部及びロアアーム支持部が形成され、これらの上記アッパアーム支持部及びロアアーム支持部の近傍に上記傾斜メンバが連結されている請求項１に記載の車両のサスペンションサブフレーム構造。
【請求項３】
上記一方の車幅方向メンバは、その左側のアッパアーム支持部と右側のロアアーム支持部との間で荷重を対角線上に荷重を受け止めると共にその右側のアッパアーム支持部と左側のロアアーム支持部との間で荷重を対角線上に荷重を受け止めるようになっている請求項１又は請求項２に記載の車両のサスペンションサブフレーム構造。
【請求項４】
上記一方の車幅方向メンバは、前側部材と後側部材とを結合して構成されており、上記アッパアーム支持部及びロアアーム支持部が、これらの前側部材と後側部材との両方により一体的に形成されている請求項１又は請求項２に記載の車両のサスペンションサブフレーム構造。
【発明の詳細な説明】
【技術分野】
【０００１】
本発明は、車両のサスペンションサブフレーム構造に係り、特に、マルチリンク型サスペンションのサスペンションアームを支持する車両のサスペンションサブフレーム構造に関する。
【背景技術】
【０００２】
従来、所謂Ｅ型サスペンションといわれるマルチリンクサスペンションが知られており、特許文献１には、そのマルチリンクのアームを支持するリアサスペンションサブフレームの構造が開示されている。
【０００３】
【特許文献１】特開２００５−１９３８９３号公報
【発明の開示】
【発明が解決しようとする課題】
【０００４】
ここで、特許文献１に記載のサブフレームのような一般的なサブフレームでは、各フレームがロ字状の閉断面或いはコ字状の断面を有し、それらのフレームが平面視で井桁状に組まれたものである。このような構成の従来のサブフレームでは、特に旋回時に生じる各アームからの引張や圧縮などの大きな入力荷重を受け止めるため、フレーム自体の断面積を大きくしたり補強部材を設けたりして剛性を高める必要があり、そのため、重量が増加するという問題があった。
【０００５】
また、前後方向に延びるメンバや車幅方向に延びるメンバへの各サスペンションアームの取付の位置によっては、各アームからの入力荷重を受けると、サブフレームの部材間でねじれや曲げが生じ、剛性や信頼性の面で不利であり、重量もかさむものであった。
【０００６】
本発明は、上述した従来技術の問題点を解決するためになされたものであり、サスペンションサブフレームの重量を軽減しつつサスペンションサブフレームの剛性を向上させてサスペンションアームからの入力荷重を有効に受け止めることが出来る車両のサスペンションサブフレーム構造を提供することを目的とする。
【課題を解決するための手段】
【０００７】
上記の目的を達成するために本発明による車両のサスペンションサブフレーム構造によれば、マルチリンク型サスペンションのサスペンションアームを支持する車両のサスペンションサブフレーム構造であって、前後に間隔をおいて設けられそれぞれ車幅方向に延びる一対の車幅方向メンバと、これらの車幅方向メンバの左側端部同士及び右側端部同士をそれぞれ連結するように車体前後方向に延びる一対の前後方向メンバと、上記車幅方向メンバのうち、一方の車幅方向メンバの左右両端部に設けられたアッパアーム支持部と、上記車幅方向メンバのうち、一方の車幅方向メンバの左右両端部に設けられたロアアーム支持部と、  上記一方の車幅方向メンバの左右両端部或いはその近傍の部分と、上記車幅方向メンバのうち他方の車幅方向メンバの車幅方向中間部とを連結するように平面視で車幅方向に対して傾斜して延びる傾斜メンバと、を有し、この傾斜メンバは、上記アッパアーム支持部及び上記ロアアーム支持部から伝わるサスペンションの荷重を上記他方の車幅方向メンバに伝達するようになっており、上記傾斜メンバは、上側部材と下側部材とで構成され、これらの上側部材及び下側部材とが上記前後方向メンバを介して上下に連結されるようになっていることを特徴としている。
【０００８】
このように構成された本発明においては、傾斜メンバは、アッパアーム支持部及びロアアーム支持部から伝わるサスペンションの荷重を他方の車幅方向メンバに伝達するように、一方の車幅方向メンバの左右両端部或いはその近傍の部分と、車幅方向メンバのうち他方の車幅方向メンバの車幅方向中間部とを連結するようになっているので、旋回時にアッパアーム支持部及びロアアーム支持部に車幅方向の大きな入力荷重が加わるとき、そのような荷重が各アームの支持部から傾斜メンバに伝達され、さらにその伝達された荷重が車幅方向メンバに加わる。そして、傾斜メンバは、平面視で車幅方向に対して傾斜して延びるので、この傾斜メンバと車幅方向メンバとにより２辺がほぼ三角形状となるフレーム部分を構成して、各アームからの荷重を効果的に受け止めるようにサスペンションサブフレームの剛性を向上させ、さらに、サスペンションサブフレームの重量を軽減することが出来る。さらに本発明によれば、傾斜メンバを上側部材と下側部材とに分離して成型性を確保すると共に、それらの上側部材と下側部材とを前後方向メンバを介して上下に連結することにより、傾斜メンバの剛性を向上させ、さらに、各アームの支持剛性も高め、さらに、サブフレームの剛性も高めることが出来る。
【００１０】
また、本発明において、好ましくは、一方の車幅方向メンバが少なくとも二つの部材を有し、これらの部材によりアッパアーム支持部及びロアアーム支持部が形成され、これらのアッパアーム支持部及びロアアーム支持部の近傍に傾斜メンバが連結されている。
このように構成された本発明においては、各アーム支持部に加わる荷重を車幅方向メンバで有効に受け止め、さらに、車幅方向メンバの左右両端部の近傍の部分に連結される傾斜メンバでも荷重を有効に受け止めることができることができる。
【００１１】
また、本発明において、好ましくは、一方の車幅方向メンバは、その左側のアッパアーム支持部と右側のロアアーム支持部との間で荷重を対角線上に荷重を受け止めると共にその右側のアッパアーム支持部と左側のロアアーム支持部との間で荷重を対角線上に荷重を受け止めるようになっている。
このように構成された本発明においては、例えば、接地点同相の右旋回時には、左側のロアアーム支持部に車幅方向メンバを圧縮する荷重が加わる一方、その対角線上の右側のアッパアーム支持部にも車幅方向メンバを圧縮する荷重が加わり、また、左側のアッパアーム支持部に車幅方向メンバを引っ張る荷重が加わる一方、その対角線上の右側のロアアーム支持部にも車幅方向メンバを引っ張る荷重が加わる。このような車幅方向に加わる荷重に対して、車幅方向メンバは、上述したように対角線上に荷重を受け止めるので、左右のサスペンションアームに加わる荷重を車幅方向メンバが効率的に受け止め、それにより、左右の荷重同士を有効に打ち消すことが出来る。
【００１８】
また、本発明において、好ましくは、一方の車幅方向メンバは、前側部材と後側部材とを結合して構成されており、アッパアーム支持部及びロアアーム支持部が、前側部材と後側部材との両方により一体的に形成されている。
このように構成された本発明においては、車幅方向メンバの前側部材及び後側部材により各アームをより確実に支持することが出来る。また、アッパアーム支持部及びロアアーム支持部に加わるサスペンションの荷重を車幅方向メンバで有効に受け止めることができる。
【発明の効果】
【００２６】
本発明の車両のサスペンションサブフレーム構造によれば、サスペンションサブフレームの重量を軽減しつつサスペンションサブフレームの剛性を向上させてサスペンションアームからの入力荷重を有効に受け止めることが出来る。
【発明を実施するための最良の形態】
【００２７】
以下、添付図面を参照しながら本発明の好ましい実施の形態について説明する。
先ず、図１乃至図３により、本発明の第１実施形態による車両のサスペンションサブフレーム構造を含む車両のリアサスペンション下部構造を説明する。図１は、本発明の第１実施形態による車両のサスペンションサブフレーム構造が適用された車両のリア下部構造を前方且つ左斜め上方から見た斜視図であり、図２は、本発明の第１実施形態による車両のサスペンションサブフレーム構造に取り付けられる右側後輪部のサスペンション装置及び車輪の構造を前方且つ左斜め上方から見た斜視図であり、図３は、本発明の第１実施形態による車両のサスペンションサブフレーム構造が適用された車両のリア下部構造を前方から見た正面図である。
【００２８】
先ず、図１に示すように、本発明の第１実施形態によるサスペンションサブフレーム構造を含む車両のリア下部構造として、リアサスペンションサブフレーム１、リアサスペンション装置２及び車輪３が設けられている。図１及び図２に示すように、車輪３には、タイヤ５、ホイール６及び車輪支持部材７が設けられている。
サスペンション装置２は、車輪支持部材７に後端部１０ａが取り付けられ、その後端部１０ａから前方に延び、その前端部１０ｂが車体（図示せず）に取り付けられるトレーリングアーム１０を有する。
【００２９】
また、サスペンション装置２は、その後方部分に車幅方向に延びるリアロアアーム１２を有する。リアロアアーム１２は、車輪支持部材７にその外方端部１２ａが取り付けられ、リアサスペンションサブフレーム１にその内方端部１２ｂが取り付けられている。このリアロアアーム１２には、スプリング１３ａ及びダンパ１３ｂからなる緩衝装置１３が取り付けられている。スプリング１３ａは、その下端部がリアロアアーム１２のスプリング受け部１２ｃに受け入れられ、その上端部が車体（図示せず）に取り付けられている。ダンパ１３ｂは、その下端部が車輪支持部材７に取り付けられ、その上端部が車体（図示せず）に取り付けられている。
【００３０】
また、サスペンション装置２は、その前方部分の下方側に車幅方向に延びるフロントロアアーム１４を有する。フロントロアアーム１４は、車輪支持部材７にその外方端部１４ａが取り付けられ、リアサスペンションサブフレーム１にその内方端部１４ｂが取り付けられている。
また、サスペンション装置２は、その前方部分の上方側に車幅方向に延びるフロントアッパアーム１６を有する。フロントアッパアーム１６は、車輪支持部材７にその外方端部１６ａが取り付けられ、リアサスペンションサブフレーム１にその内方端部１６ｂが取り付けられている。
【００３１】
次に、主に図４乃至図１０により、本発明の第１実施形態によるリアサスペンションサブフレーム１の構造を説明する。図４は、本発明の第１実施形態による車両のサスペンションサブフレーム構造が適用された車両のリア下部構造を下方から見た底面図であり、図５は、本発明の第１実施形態によるサスペンションサブフレーム構造のフロント車幅方向メンバを単体で示す後方且つ左斜め上方から見た斜視図であり、図６は、本発明の第１実施形態によるサスペンションサブフレーム構造のフロント車幅方向メンバと傾斜補強メンバとが互いに取り付けられた状態で示す後方且つ左斜め上方から見た斜視図であり、図７は、本発明の第１実施形態によるサスペンションサブフレーム構造のフロント車幅方向メンバと傾斜補強メンバとリア車幅方向メンバとが互いに取り付けられた状態で示す後方且つ左斜め上方から見た斜視図であり、図８は、本発明の第１実施形態によるサスペンションサブフレーム構造のフロント車幅方向メンバと傾斜補強メンバとリア車幅方向メンバと左右それぞれの前後方向メンバが互いに取り付けられた状態で示す後方且つ左斜め上方から見た斜視図であり、図９は、本発明の第１実施形態によるサスペンションサブフレーム構造を下方且つ側方から見た斜視図であり、図１０は、本発明の第１実施形態によるサスペンションサブフレーム構造を左側の側方から見た側面図である。
【００３２】
先ず、図１、図３及び図４に示すように、リアサスペンションサブフレーム１は、そのサブフレーム１の前方側で車幅方向に延びるフロント車幅方向メンバ２０、サブフレーム１の後方側で車幅方向に延びるリア車幅方向メンバ２２、サブフレーム１の左側で車体前後方向に延びる左側前後方向メンバ２４、サブフレーム１の右側で車体前後方向に延びる右側前後方向メンバ２６、及び、フロント車幅方向メンバ２０とリア車幅方向メンバ２２との間でそれらを連結するように、平面視で車幅方向に対して斜め方向に延びる２つの傾斜補強メンバ２８を有している。
【００３３】
次に、図５に示すように、フロント車幅方向メンバ２０は、その全体が後方に向けて開いた断面コ字状に一体成形されたものである。また、図６に示すように、２つの傾斜補強メンバ２８は、その全体が前方に向けて開いた断面コ字状に一体成形されている。図１、図４及び図６に示すように、これらのフロント車幅方向メンバ２０及び傾斜補強メンバ２８は、それぞれのコ字状に開放した部分が互いの方向を向くように配置され、互いに溶接により取り付けられている。
【００３４】
次に、図１及び図６に示すように、フロント車幅方向メンバ２０と傾斜補強メンバ２８とが互いに取り付けられることにより、符号３０で示した部分では、閉断面を構成してサブフレーム１の剛性を高めるようにしている。また、図７に示すように、リア車幅方向メンバ２２は、その全体が下側に向けて開口した断面コ字状に形成されている。図１、図４及び図７に示すように、傾斜補強メンバ２８は、それらの後端部２８ｃがリア車幅方向メンバ２２に溶接により取り付けられている。
【００３５】
そして、図７に示すように、フロント車幅方向メンバ２０と傾斜補強メンバ２８とで開口部４０が形成され、この開口部４０は、フロント車幅方向メンバ２０と傾斜補強メンバ２８とが結合して形成されている。即ち、開口部４０の前方側はフロント車幅方向メンバ２０で構成され、開口部４０の後方側は傾斜補強メンバ２８で構成されて、これらの結合部４０となっている。また、リア車幅方向メンバ２２にも開口部４２が形成されている。
【００３６】
開口部４０には、後述するように、前後方向メンバ２４、２６が取り付けられるが、その取付部である開口部４０は、下方側では上方に向けて開口し、上方側では下方に向けて開口し、車幅方向内方側では外方に向けて開口し、図３に示すように、前後方向から見て外方に向けて開放した形状となっている。この開口部４０は、第１実施形態ではこのように開放した開断面で構成されているが、開口部４０を閉断面にして、より剛性を高めるようにしても良い。
【００３７】
そして、図７に示す２つの開口部４０、４２（左右合わせて４つの開口部）に、左右それぞれの前後方向メンバ２４、２６が溶接により取り付けられて、図１及び図８に示すようなサブフレーム１を構成している。前後方向メンバ２４、２６のそれぞれ前端部、後端部には、マウント部４４、４６が設けられ、これらのマウント部４４、４６を介して、サブフレーム１が車体（図示せず）に取り付けられている。
【００３８】
次に、図１、図３及び図８に示すように、フロント車幅方向メンバ２０の端部２０ａ、２０ｂと傾斜補強メンバ２８の端部２８ａ、２８ｂとにより、フロントロアアーム１４及びフロントアッパアーム１６の取付部５０、５２が形成されている。
即ち、図６乃至１０に示すように、フロントロアアーム１４の取付部５０（フロントロアアーム支持部５０）は、断面コ字状（後方に向けて開放している）に形成されたフロント車幅方向メンバ２０の下側の左右端部２０ａと、断面コ字状（前方に向けて開放している）に形成された傾斜補強メンバ２８の下側の左右端部２８ａとが互いに組み合わされて閉断面を形成している。
【００３９】
また、図６乃至１０に示すように、フロントアッパアーム１６の取付部５２（フロントアッパアーム支持部５２）は、断面Ｌ字状に形成されたフロント車幅方向メンバ２０の上側の左右端部２０ｂと、断面Ｌ字状に形成された傾斜補強メンバ２８の上側の左右端部２８ｂとが互いに組み合わされて、下方に向けて開放された開断面を形成している。
【００４０】
図１、図３、図８に示すように、各取付部５０、５２には、フロントロアアーム１４及びフロントアッパアーム１６の車幅方向内方端部に設けられたラバーブッシュ部１４ｃ、１６ｃ（図９参照）を取り付けるための孔部５０ａ、５２ａが形成されている。そして、図９に示すように、各アーム１４、１６が、フロント車幅方向メンバ２０及び傾斜補強メンバ２８に取り付けられる。
【００４１】
また、図８及び図９に示すように、リア車幅方向メンバ２２にも、孔部２２ａが形成され、図４及び図９に示すように、リアロアアーム１２の車幅方向内方端部に設けられたラバーブッシュ部１２ｄが取り付けられる。上述した傾斜補強メンバ２８の後端部２８ｃは、このリアロアアーム１２の取付部（リアロアアーム支持部）の近傍に溶接により取り付けられており、リアロアアーム１２のサブフレーム１への取付部２２ｂの剛性を高めるようにしている。なお、この取付部２２ｂと、傾斜補強メンバ２８の後端部２８ｃとを同じ位置に形成しても良い。
【００４２】
次に、図１、図３及び図５に示すように、フロント車幅方向メンバ２０には、その左側のフロントアッパアーム１６の取付部５２が設けられた左側上方端部２０ｂと、その右側のフロントロアアーム１４の取付部５０が設けられた右側下方端部２０ａとが、対角線状に連結されるようにほぼ真っ直ぐに延びるフレーム６０が形成され、一方、その右側のフロントアッパアーム１６の取付部５２が設けられた右側上方端部２０ｂと、その左側のフロントロアアーム１４の取付部５０が設けられた左側下方端部２０ａとが、対角線状に連結されるようにほぼ真っ直ぐに延びるフレーム６２が形成されている。このように、フロント車幅方向メンバ２０は、フレーム６０、６２によりほぼＸ字状になるように形成されている。
【００４３】
より具体的には、フロント車幅方向メンバ２０には、図３に示すように、その左右両端部から車幅方向内方に向かうにつれてフロント車幅方向メンバ２０の上下方向の長さが小さくなるように、上方及び下方に向けて開口した凹部６４、６６が形成されている。また、フロント車幅方向メンバ２０には、車幅方向内方に向かうにつれてその上下方向長さが小さくなるような開口部６８が形成されている。これらの凹部６４、６６と開口部６８とにより、フロント車幅方向メンバ２０は、全体的に正面視でＸ字状となるように形成されている。
【００４４】
また、図３に示すように、フロント車幅方向メンバ２０は、その左右両端部が上記アッパアーム支持部と上記ロアアーム支持部とを上下に連結するように形成されている。また、図１０に示すように、フロント車幅方向メンバ２０に設けられたフロントロアアーム１４の取付部５０及びフロントアッパアーム１６の取付部５２が、前後方向メンバ２４、２６を挟むように前後方向メンバ２４、２６の上下にそれぞれ設けられている。
【００４５】
同様に、上述したように、傾斜補強メンバ２８にもフロントロアアーム１４の取付部５０及びフロントアッパアーム１６の取付部５２が設けられており、これらが、前後方向メンバ２４、２６を挟むように前後方向メンバ２４、２６の上下にそれぞれ設けられている。そして、図４及び図８に示すように、傾斜補強メンバ２８は、それらの取付部５０及び取付部５２の部分から、平面視で車幅方向内方且つ斜め後方に向けて延び、その後端部２８ｃがリア車幅方向メンバ２２の車幅方向の中間部に取り付けられている。
【００４６】
さらに、図８に示すように、傾斜補強メンバ２８は、その左右両端部の各アーム取付部５０、５２から、リア車幅方向メンバ２２の車幅方向中間部に向かうにつれて上下方向に小さい寸法となるように形成されている。また、図８に示すように、傾斜補強メンバ２８は、その左右両端部の各アーム取付部５０、５２から、リア車幅方向メンバ２２の車幅方向中間部に向けて上下方向の寸法が小さくなる一対の開口部２９を有する。
【００４７】
次に、図１１により、本発明の実施形態によるサスペンションサブフレーム構造の作用効果を説明する。図１１は、本発明の実施形態によるサスペンションサブフレーム構造の作用の一例を説明するためのサブフレーム構造の正面図である。
先ず、フロントロアアーム１４の取付部５０（フロントロアアーム支持部５０）がフロント車幅方向メンバ２０の左右両端部２０ａに設けられ、フロントアッパアーム１６の取付部５２（フロントアッパアーム支持部５２）がフロント車幅方向メンバ２０の左右両端部２０ｂに設けられており、上述したように、フロント車幅方向メンバ２０は、凹部６４、６６及び開口部６８により、正面視でＸ字状に延びるように形成されている。フロント車幅方向メンバ２０は、例えば、図１１の符号７０で示すように対角線上に延びる。
【００４８】
ここで、図１１に示すように、車両の旋回時、荷重Ｆ１、Ｆ２がタイヤ接地点で車輪３に加わり、フロント側のロアアーム１４及びアッパアーム１６には、それぞれ、図１１に示すような方向の荷重Ｆが伝達される。具体的には、例えば、接地点同相の右旋回時には、左側のロアアームに車幅方向メンバを圧縮する荷重が加わる一方、その対角線上の右側のアッパアームにも車幅方向メンバを圧縮する荷重が加わり、また、左側のアッパアームに車幅方向メンバを引っ張る荷重が加わる一方、その対角線上の右側のロアアームにも車幅方向メンバを引っ張る荷重が加わる。
【００４９】
このような車幅方向に加わる荷重に対して、本発明の実施形態においては、車幅方向メンバは、正面視で全体的にＸ字状に延びるように形成されているので、各アーム１４、１６に加わる荷重がフロント車幅方向アーム２０に対角線上に効率的に加わって、左右の荷重同士を有効に打ち消すことが出来る。即ち、フロント車幅方向メンバ２０が、フロント車幅方向メンバの左側のフロントロアアーム１４の取付部５０と右側のフロントアッパアーム１６の取付部５２との間で荷重を対角的に伝達すると共に、フロント車幅方向メンバの右側のフロントロアアーム１４の取付部５０と左側のフロントアッパアーム１６の取付部５２との間で荷重を対角的に伝達するようになっている。
【００５０】
従って、旋回時の大きな荷重入力がフロントロアアーム１４及びフロントアッパアーム１６に加わっても、フロント車幅方向メンバ２０が左右からの荷重を互いに打ち消すように各アーム１４、１６を効果的に支持する。そして、各アーム１４、１６からの荷重を効果的に受け止めるようにサスペンションサブフレーム１の剛性を向上させ、さらに、サスペンションサブフレーム１の重量を軽減することが出来る。
【００５１】
また、本発明の実施形態では、サスペンション装置２は、マルチリンク型サスペンションであり、フロントロアアーム１４の取付部５０及びフロントアッパアーム１６の取付部５２がフロント車幅方向メンバ２０に形成されているので、旋回時に入力荷重が大きいフロント側の各アームの入力荷重を前側の車幅方向メンバで有効に受け止めることが出来る。
【００５２】
さらに、本発明の実施形態では、サスペンション装置２はマルチリンク型サスペンションであり、車輪支持部材７から車両前方側に向けて延びるトレーリングアーム１０と、車輪支持部材７から車幅方向内方に向けて延び前側に配置されたフロントロアアーム１４及びフロントアッパアーム１６を有し、取付部５０、５２は、フロント車幅方向メンバ２０に設けられてそれらのアーム１４、１６を支持するようになっているので、旋回時に入力荷重が大きいフロント側の各アーム１４、１６の入力荷重をフロント車幅方向メンバ２０で有効に受け止めることが出来る。さらに、取付部５０、５２は傾斜補強メンバ２８にも設けられているので、旋回時に入力荷重が大きいフロント側の各アーム１４、１６の入力荷重を傾斜補強メンバ２８、さらには、リア車幅方向メンバ２２で有効に受け止めることが出来る。
【００５３】
さらに、本発明の実施形態では、サスペンション装置２は、マルチリンク型サスペンションであり、その前側に配置されたフロントロアアーム１４及びフロントアッパアーム１６と、その後側に設けられたリアロアアーム１２と、を有し、このリアロアアーム１２は、リア車幅方向メンバ２２において傾斜補強メンバ２８が連結される部分の近傍でリア車幅方向メンバ２２に支持されているので、リアロアアーム１２の支持剛性を傾斜補強メンバ２８とリア車幅方向メンバ２２とにより高めることが出来る。また、リアロアアーム１２は、リア車幅方向メンバ２２において傾斜補強メンバ２８が連結される部分と同じ位置でリア車幅方向メンバ２２に支持されていても同様の効果が得られる。
【００５４】
さらに、本発明の実施形態では、フロント車幅方向メンバ２０及びリア車幅方向メンバ２２と、フロント車幅方向メンバ２０の左右両端部２０ａ、２０ｂとリア車幅方向メンバ２２の車幅方向中間部とを連結するように平面視で車幅方向に対して傾斜して延びる傾斜補強メンバ２８とを有し、フロント車幅方向メンバ２０の左右両端部２０ａ、２０ｂと傾斜補強メンバ２８の端部２８ａ、２８ｂとが連結された部分にサスペンションアーム取付部（支持部）として、フロントロアアーム１４の取付部５０やフロントアッパアーム１６の取付部５２が設けられているので、旋回時にそれらの取付部５０、５２に車幅方向の大きな入力荷重が加わるとき、そのような荷重が各アーム１４、１６の支持部５０、５２からフロント車幅方向メンバ２０及び傾斜補強メンバ２８に伝達され、さらに傾斜補強メンバ２８からリア車幅方向メンバ２２に伝達され、これらのメンバ２０、２８、２２で荷重を有効に受け止めることが出来る。そして、この傾斜補強メンバ２８とフロント車幅方向メンバ２０及びリア車幅方向メンバ２２により荷重を効果的に受け止めるフレーム部分が構成されて、各アーム１４、１６を支持するサスペンションサブフレーム１の剛性を向上させ、さらに、サスペンションサブフレーム１の重量を軽減することが出来る。
【００５５】
さらに、本発明の実施形態では、傾斜補強メンバ２８が、その端部２８ａ、２８ｂに設けられたフロントロアアーム１４の取付部５０及びフロントアッパアーム１６の取付部５２と、リア車幅方向メンバ２２の車幅方向中間部とを連結するので、旋回時に各取付部（支持部）５０、５２に車幅方向の大きな入力荷重が加わるとき、そのような荷重が各アーム１４、１６の取付部５０、５２から傾斜補強メンバ２８に伝達され、さらにその伝達された荷重がリア車幅方向メンバ２２に加わる。そして、傾斜補強メンバ２８は、平面視で車幅方向に対して傾斜して延びるので、この傾斜補強メンバ２８とリア車幅方向メンバ２２とにより２辺がほぼ三角形状となるフレーム部分が構成されて、各アーム１４、１６からの荷重を効果的に受け止めるようにサスペンションサブフレーム１の剛性を向上させ、さらに、サスペンションサブフレームの重量を軽減することが出来る。
【００５６】
また、本発明の実施形態によれば、フロントロアアーム１４の取付部５０及びフロントアッパアーム１６の取付部５２が、フロント車幅方向メンバ２０に一体的に形成されているので、各アーム１４、１６からの荷重を効率的にフロント車幅方向メンバ２０に伝達させることが出来る。同様に、フロントロアアーム１４の取付部５０及びフロントアッパアーム１６の取付部５２が、傾斜補強メンバ２８にも一体的に形成されているので、各アーム１４、１６からの荷重を効率的に傾斜補強メンバ２８に伝達させることが出来る。同様に、フロントロアアーム１４の取付部５０及びフロントアッパアーム１６の取付部５２が、傾斜補強メンバ２８に一体的に形成されているので、各アーム１４、１６からの荷重を効率的に傾斜補強メンバ２８に伝達させることが出来る。
【００５７】
さらに、本発明の実施形態によれば、フロントロアアーム１４の取付部５０及びフロントアッパアーム１６の取付部５２が、フロント車幅方向メンバ２０及び傾斜補強メンバ２８で一体的に形成されているので、各アーム１４、１６からの荷重を、傾斜補強メンバ２８及びフロント車幅方向メンバ２０、さらに、リア車幅方向メンバ２２で有効に受け止めて、各アーム１４、１６からの荷重を効率的に各メンバ２０、２８、２２に伝達させることが出来る。
【００５８】
さらに、本発明の実施形態では、フロントアッパアーム１６の取付部５２は、フロント車幅方向メンバ２０の左右両端部２０ａ、２０ｂとこの左右両端部２０ａ、２０ｂに連結された傾斜補強メンバ２８の端部２８ａ、２８ｂとでコ字状の断面を有するように一体的に形成されているので、フロントアッパアーム１６の取付部５２の剛性を高めることが出来ると共に、そのコ字状の内方部に、例えばサスペンションブッシュ部１６ｃや回動ロッドなどを配置することが出来、スペースを有効活用することが出来る。
【００５９】
さらに、本発明の実施形態では、フロントロアアーム１４の取付部５０は、フロント車幅方向メンバ２０の左右両端部２０ａ、２０ｂとこの左右両端部２０ａ、２０ｂに連結された傾斜補強メンバ２８の端部２８ａ、２８ｂとで閉断面を有するように一体的に形成されているので、フロントロアアーム取付部５０の剛性を高めることが出来ると共に、その閉断面内に、例えばサスペンションブッシュ１４ｃや回動ロッドなどを配置することが出来、スペースを有効活用することが出来る。また、フロントロアアーム１４には旋回時に他のアームよりも大きな荷重がかかり易くなっており、このようなフロントロアアーム１４の取付部５０を閉断面に形成して剛性を高めることで、フロントロアアーム１４を有効に支持することが出来る。
【００６０】
さらに、本発明の実施形態によれば、フロント車幅方向メンバ２０の車幅方向中間部がその左右両端部２０ａ、２０ｂより上下方向に小さい寸法となるようになっているので、各アーム１４、１６に加わる荷重がフロント車幅方向メンバ２０に対角線上に効率的に加わって、上述したように荷重同士を有効に打ち消すことが出来る。また、フロント車幅方向メンバの上部及び下部に上方或いは下方に向けて開いている凹部６４、６６を有するので、荷重の対角線上の伝達に不要な部分を取り除いて車幅方向メンバの軽量化、ひいては、サスペンションサブフレームの軽量化が図れる。
同様に、フロント車幅方向メンバ２０は、その左右両端部２０ａ、２０ｂから車幅方向中間部に向けて上下方向の寸法が小さくなる一対の開口部６８を有するので、荷重の対角線上の伝達に不要な部分を取り除いて車幅方向メンバの軽量化、ひいては、サスペンションサブフレームの軽量化が図れる。
【００６１】
さらに、本発明の実施形態によれば、傾斜補強メンバ２８は、その端部２８ａ、２８ｂの各アーム取付部５０、５２から、リア車幅方向メンバ２２の中間部に向かうにつれて上下方向に小さい寸法となるように形成されているので、各アーム１４、１６の取付部５０、５２に作用する荷重の伝達に不要な部分を取り除いて、傾斜補強メンバ２８の軽量化、ひいては、サスペンションサブフレーム１の軽量化が図れる。
同様に、傾斜補強メンバ２８は、その左右両端部２０ａ、２０ｂの各アーム取付部５０、５２から、リア車幅方向メンバ２２の車幅方向中間部に向けて上下方向の寸法が小さくなる一対の開口部２９を有するので、各アーム１４、１６の取付部５０、５２に作用する荷重の伝達に不要な部分を取り除いて、傾斜補強メンバ２８の軽量化、ひいては、サスペンションサブフレーム１の軽量化が図れる。
【００６２】
さらに、本発明の実施形態では、フロント車幅方向メンバ２０の左右両端部２０ａ、２０ｂが、フロントロアアーム１４の取付部５０及びフロントアッパアーム１６の取付部５２を互いに上下に連結するように形成されているので、各アーム１４、１６の取付部（支持部）５０、５２の剛性及びフロント車幅方向メンバ２０の剛性も共に向上させることが出来る。また、同様に、傾斜補強メンバ２８の各端部２８ａ、２８ｂが、フロントロアアーム１４の取付部５０及びフロントアッパアーム１６の取付部５２を互いに上下に連結するように形成されているので、各アーム１４、１６の取付部（支持部）５０、５２の剛性及び傾斜補強メンバ２８の剛性も共に向上させることが出来る。
【００６３】
さらに、本発明の実施形態では、フロントロアアーム１４の取付部５０及びフロントアッパアーム１６の取付部５２が前後方向メンバ２４、２６を挟むように前後方向メンバ１４、２６の上下にそれぞれ設けられているので、前後方向メンバ２４、２６の上下のスペースを有効に活用して、各アーム１４、１６の取付部（支持部）５０、５２の前後方向メンバ２４、２６からのオーバハングを縮小して各アーム１４、１６の取付部（支持部）５０、５２の剛性を高めることが出来る。
【００６４】
さらに、本発明の実施形態では、フロント車幅方向メンバ２０と傾斜補強メンバ２８とをアッパアーム取付部５０とロアアーム取付部５２との間で互いに結合すると共にその結合部が前後方向メンバ２４、２６に結合されているので、フロント車幅方向メンバ２０及び傾斜補強メンバ２８の前後方向メンバ２４、２６への結合剛性を高めることが出来ると共に、フロント車幅方向メンバ２０及び傾斜補強メンバ２８の剛性を向上させ、さらに、サブフレーム１の剛性も高めることが出来る。また、例えば、フロント車幅方向メンバ２０と傾斜補強メンバ２８とを互いに結合して閉断面にし、その閉断面部分に前後方向メンバ２４、２６を結合することで、さらに、サブフレーム１や各アーム支持部５０、５２の剛性を高めることも出来る。
【００６５】
次に、主に図１２乃至図１７により、本発明の第２実施形態によるリアサスペンションサブフレーム１０１の構造を説明する。本発明の第２実施形態では、その基本構成が上述した第１実施形態と同様であり、以下では、主に第１実施形態と異なる構成についてのみ説明する。図１２は、本発明の第２実施形態による車両のサスペンションサブフレーム構造が適用された車両のリア下部構造を上方から見た平面図であり、図１３は、本発明の第２実施形態による車両のサスペンションサブフレーム構造が適用された車両のリア下部構造を下方から見た底面図であり、図１４は、本発明の第２実施形態によるサスペンションサブフレーム構造のフロント車幅方向メンバを単体で示す後方且つ左斜め上方から見た斜視図であり、図１５は、本発明の第２実施形態によるサスペンションサブフレーム構造のフロント車幅方向メンバと傾斜補強メンバとが互いに取り付けられた状態で示す後方且つ左斜め上方から見た斜視図であり、図１６は、本発明の第２実施形態によるサスペンションサブフレーム構造のフロント車幅方向メンバと傾斜補強メンバとリア車幅方向メンバとが互いに取り付けられた状態で示す後方且つ左斜め上方から見た斜視図であり、図１７は、本発明の第２実施形態によるサスペンションサブフレーム構造のフロント車幅方向メンバと傾斜補強メンバとリア車幅方向メンバと左右それぞれの前後方向メンバが互いに取り付けられた状態で示す後方且つ左斜め上方から見た斜視図である。
【００６６】
先ず、図１２及び図１３に示すように、本発明の第２実施形態では、上述した第１実施形態の図及び図３に示す構造と同様に、リアサスペンションサブフレーム１０１は、そのサブフレーム１０１の前方側で車幅方向に延びるフロント車幅方向メンバ１２０、サブフレーム１０１の後方側で車幅方向に延びるリア車幅方向メンバ１２２、サブフレーム１０１の左側で車体前後方向に延びる左側前後方向メンバ１２４、サブフレーム１０１の右側で車体前後方向に延びる右側前後方向メンバ１２６、及び、フロント車幅方向メンバ１２０とリア車幅方向メンバ１２２との間でそれらを連結するように、平面視で車幅方向に対して斜め方向に延びる２つの傾斜補強メンバ１２８を有している。
【００６７】
次に、図１４に示すように、フロント車幅方向メンバ１２０は、後方に向けて開いた断面コ字状の前方部分（前側部材）１２０ａと、前方に向けて開いた断面コ字状の後方部分（後側部材）１２０ｂとで構成される。フロント車幅方向メンバ１２０は、それらの部分１２０ａ、１２０ｂが互いに接合されて一体的に形成されている。
また、フロント車幅方向メンバ１２０は、二股に分かれた上方端部１２０ｃと、下方端部１２０ｄとを有している。これらの端部１２０ｃ、１２０ｄは、断面コ字状に形成されている。
【００６８】
次に、図１５に示すように、２つの傾斜補強メンバ１２８は、それぞれ上下に２分割された構造を有しており、２分割された一方の上方部分（上方部材）１２８ａと、他方の下方部分（下方部材）１２８ｂとで構成されている。図１５に示すように、２つの傾斜補強メンバ１２８の上方部分１２８ａは、それぞれ、フロント車幅方向メンバ１２０の後方部分１２０ｂの後側面且つ上方端部１２０ｃに溶接により結合され、下方部分１２８ｂは、それぞれ、フロント車幅方向メンバ１２０の後方部分１２０ｂの後側面且つ下方端部１２０ｄに溶接により結合されている。各部分１２８ａ、１２８ｂは、フロント車幅方向メンバ１２０のサスペンションアーム取付部１５０、１５２（図１７参照）の近傍に連結されている。
次に、図１６に示すように、リア車幅方向メンバ１２２は、その全体が下側に向けて開口した断面コ字状に形成されている。傾斜補強メンバ１２８は、それらの後端部１２８ｃ、１２８ｄが、それぞれ、リア車幅方向メンバ１２２の前方側の側面に溶接により結合されている。
【００６９】
そして、図１６に示すように、フロント車幅方向メンバ１２０の上方端部１０２ｃと、下方端部１２０ｄとの間には、開口部１２０ｓが形成されている。この開口部１２０ｓは、フロント車幅方向メンバ１２０の前方部分１２０ａ及び後方部分１２０ｂが結合されることで形成される。
また、傾斜補強メンバの上方部分１２８ａと、下方部分１２８ｂとの間には、開口部１２８ｓが形成されている。この開口部１２８ｓは、傾斜補強メンバ１２８の上方部分１２８ａ及び下方部分１２８ｂが、それぞれ、フロント車幅方向メンバ１２０と、リア車幅方向メンバ１２２とに結合されることで形成される。
【００７０】
そして、図１６に示す２つの開口部１２０ｓ、１２８ｓ（左右合わせて４つの開口部）に、左右それぞれの前後方向メンバ１２４、１２６が溶接により取り付けられて、図１７に示すようなサブフレーム１０１を構成している。また、言い換えると、補強傾斜メンバ１２８の上方部分１２８ａと下方部分１２８ｂとが、前後方向メンバ１２４、１２６を介して上下に連結されるようになっている。これらのように上方部分１２８ａと下方部分１２８ｂとを前後方向メンバ１２４、１２６を介して上下に連結することにより、傾斜メンバ１２８の剛性を向上させ、さらに、各アームの支持剛性も高め、さらに、サブフレームの剛性も高めることが出来る。
このようなサブフレーム１０１には、上述した第１実施形態の図１に示すように、リアサスペンション装置２が取り付けられる。図１７に示すように、前後方向メンバ１２４、１２６のそれぞれ前端部、後端部には、マウント部１４４、１４６が設けられ、これらのマウント部１４４、１４６を介して、サブフレーム１０１が車体（図示せず）に取り付けられている。
【００７１】
次に、図１７に示すように、フロント車幅方向メンバ１２０の前方部分１２０ａ及び後方部分１２０ｂが結合されることにより、フロント車幅方向メンバ１２０の上方端部１２０ａ及び下方端部１２０ｂには、それぞれ、フロントロアアーム１４（図１乃至図４参照）及びフロントアッパアーム１６（図１乃至図４参照）のサスペンションアーム取付部１５０、１５２が形成されている。
【００７２】
図１７に示すように、各取付部１５０、１５２には、フロントロアアーム１４及びフロントアッパアーム１６の車幅方向内方端部に設けられたラバーブッシュ部１４ｃ、１６ｃ（図９参照）を取り付けるための孔部１５０ａ、１５２ａが形成されている。
【００７３】
上述した本発明の第２実施形態のサスペンションサブフレーム構造の作用効果は、上述した第１実施形態と同様である。さらに、第２実施形態においては、２つの傾斜補強メンバ１２８の上方部分１２８ａ及び下方部分１２８ｂが、それぞれ、フロント車幅方向メンバ１２０の後方部分１２０ｂの後側面且つ上方端部１２０ｃ及び後方部分１２０ｂの後側面且つ下方端部１２０ｄに溶接により結合されている。このような構成のフロント車幅方向メンバ１２０と傾斜補強メンバ１２８とにより、サブフレーム１０１の剛性を効果的に高めることができる。
【００７４】
さらに、第２実施形態では、上述した第１実施形態のように傾斜補強メンバ１２８（２８）に各アーム取付部１５０、１５２（５０、５２）を形成せず、傾斜補強メンバ１２８をフロント車幅方向メンバ１２０に結合強度が高まるように取り付けているので、より効果的にサブフレーム１０１の剛性を高めることができる。
一方、各アーム取付部１５０、１５２は、フロント車幅方向メンバ１２０の上方端部１２０ａ及び下方端部１２０ｂに形成されているので、各サスペンションアーム１４、１６からの入力を車幅方向に延びるフロント車幅方向メンバ１２０で有効に受け止めることができる。
【００７５】
以上のような作用効果によれば、サブフレーム１０１の剛性を高めるための構成と、各サスペンションアームを有効に支持する構成とが分離され、それらの効果を確実に高めることができる。
【００７６】
なお、本発明の第１及び第２実施形態ではＥ型サスペンションに適用した例を示したが、他のサスペンション形式のものに適用可能である。また、リア車幅方向メンバ２２、１２２を本発明の第１及び第２実施形態によるフロント車幅方向メンバ２０、１２０のように構成し、傾斜補強メンバ２８、１２８も第１及び第２実施形態とは前後が逆になるように構成して、リア側のサスペンションアームからの荷重を有効に受け止めるようにしても良い。
【図面の簡単な説明】
【００７７】
【図１】本発明の実施形態による車両のサスペンションサブフレーム構造が適用された車両のリア下部構造を前方且つ左斜め上方から見た斜視図である。
【図２】本発明の実施形態による車両のサスペンションサブフレーム構造に取り付けられる右側後輪部のサスペンション装置及び車輪の構造を前方且つ左斜め上方から見た斜視図である。
【図３】本発明の実施形態による車両のサスペンションサブフレーム構造が適用された車両のリア下部構造を前方から見た正面図である。
【図４】本発明の第１実施形態による車両のサスペンションサブフレーム構造が適用された車両のリア下部構造を下方から見た底面図である。
【図５】本発明の第１実施形態によるサスペンションサブフレーム構造のフロント車幅方向メンバを単体で示す後方且つ左斜め上方から見た斜視図である。
【図６】本発明の第１実施形態によるサスペンションサブフレーム構造のフロント車幅方向メンバと傾斜補強メンバとが互いに取り付けられた状態で示す後方且つ左斜め上方から見た斜視図である。
【図７】本発明の第１実施形態によるサスペンションサブフレーム構造のフロント車幅方向メンバと傾斜補強メンバとリア車幅方向メンバとが互いに取り付けられた状態で示す後方且つ左斜め上方から見た斜視図である。
【図８】本発明の第１実施形態によるサスペンションサブフレーム構造のフロント車幅方向メンバと傾斜補強メンバとリア車幅方向メンバと左右それぞれの前後方向メンバが互いに取り付けられた状態で示す後方且つ左斜め上方から見た斜視図である。
【図９】本発明の第１実施形態によるサスペンションサブフレーム構造を下方且つ側方から見た斜視図である。
【図１０】本発明の第１実施形態によるサスペンションサブフレーム構造を左側の側方から見た側面図である。
【図１１】本発明の第１実施形態によるサスペンションサブフレーム構造の作用の一例を説明するためのサブフレーム構造の正面図である。
【図１２】本発明の第２実施形態による車両のサスペンションサブフレーム構造が適用された車両のリア下部構造を上方から見た平面図である。
【図１３】本発明の第２実施形態による車両のサスペンションサブフレーム構造が適用された車両のリア下部構造を下方から見た底面図である。
【図１４】本発明の第２実施形態によるサスペンションサブフレーム構造のフロント車幅方向メンバを単体で示す後方且つ左斜め上方から見た斜視図である。
【図１５】本発明の第２実施形態によるサスペンションサブフレーム構造のフロント車幅方向メンバと傾斜補強メンバとが互いに取り付けられた状態で示す後方且つ左斜め上方から見た斜視図である。
【図１６】本発明の第２実施形態によるサスペンションサブフレーム構造のフロント車幅方向メンバと傾斜補強メンバとリア車幅方向メンバとが互いに取り付けられた状態で示す後方且つ左斜め上方から見た斜視図である。
【図１７】本発明の第２実施形態によるサスペンションサブフレーム構造のフロント車幅方向メンバと傾斜補強メンバとリア車幅方向メンバと左右それぞれの前後方向メンバが互いに取り付けられた状態で示す後方且つ左斜め上方から見た斜視図である。
【符号の説明】
【００７８】
１  リアサスペンションサブフレーム
２  リアサスペンション装置
３  車輪
７  車輪支持部材
１０  トレーリングアーム
１２  リアロアアーム
１４  フロントロアアーム
１６  フロントアッパアーム
２０  フロント車幅方向メンバ
２０ａ、２０ｂ  フロント車幅方向メンバの左右端部
２２  リア車幅方向メンバ
２２ｂ  リアロアアームのリア車幅方向メンバへの取付部（支持部）
２４、２６  前後方向メンバ
２８  傾斜補強メンバ
２８ａ、２８ｂ  傾斜補強メンバの端部
２８ｃ  傾斜補強メンバの後端部
２９  傾斜補強メンバの開口部
４０、４２  開口部
５０  フロントロアアームの取付部（支持部）
５２  フロントアッパアームの取付部（支持部）
６４、６６  フロント車幅方向メンバの凹部
６８  フロント車幅方向メンバの開口部
Ｆ、Ｆ１、Ｆ２  荷重
【図１】
0005518344.tif 000002
【図２】
0005518344.tif 000003
【図３】
0005518344.tif 000004
【図４】
0005518344.tif 000005
【図５】
0005518344.tif 000006
【図６】
0005518344.tif 000007
【図７】
0005518344.tif 000008
【図８】
0005518344.tif 000009
【図９】
0005518344.tif 000010
【図１０】
0005518344.tif 000011
【図１１】
0005518344.tif 000012
【図１２】
0005518344.tif 000013
【図１３】
0005518344.tif 000014
【図１４】
0005518344.tif 000015
【図１５】
0005518344.tif 000016
【図１６】
0005518344.tif 000017
【図１７】
0005518344.tif 000018